(57)【要約】【課題】開口部周縁と操作部との間に異物が挟み込まれる不具合を回避しつつ、雄部材と雌部材との係合が簡単に解除されない構造のバックルを提供する。【課題手段】雄部材Ａと雌部材Ｂとカバー部材Ｃを備える。雄部材は、基部１０と、基部から突出形成された脚部２０と、この脚部に設けられ雌部材に係合可能な係合部２５とを有する。雌部材は、差込口から差し込まれた脚部の係合部が係合する被係合部４８を有する。雄部材および雌部材の少なくとも一方には、係合部および被係合部の少なくとも一方が形成された部分を弾性変形させて移動させる操作部５０が形成されている。カバー部材Ｃは、雄部材が雌部材に係合された状態において、外表面に露出する操作部を覆う。カバー部材の内面と操作部との間には、操作部の操作方向に隙間６５が形成されている。【選択図】図４
2009039286.tif 000002
【特許請求の範囲】
【請求項１】
雄部材Ａと、この雄部材Ａが差込係合される雌部材Ｂとを備え、
前記雄部材Ａは、基部１０と、この基部１０から突出形成された脚部２０と、この脚部２０に設けられ前記雌部材Ｂに係合可能な係合部２５とを有し、
前記雌部材Ｂは、前記雄部材Ａの前記脚部２０が差し込まれる差込口４１と、この差込口４１から差し込まれた前記脚部２０の前記係合部２５が係合する被係合部４８とを有し、
前記雄部材Ａおよび前記雌部材Ｂの少なくとも一方には、前記係合部２５および前記被係合部４８の少なくとも一方が形成された部分を弾性変形させて移動させる操作部５０が形成され、
前記雄部材Ａが前記雌部材Ｂに係合された状態において、外表面に露出する前記操作部５０を覆う弾性を有するカバー部材Ｃが設けられているバックルにおいて、
前記カバー部材Ｃの内面と前記操作部５０との間には、前記操作部５０の操作方向に隙間６５が形成されていることを特徴とするバックル。
【請求項２】
前記操作部５０が前記雌部材Ｂに形成され、この雌部材Ｂに形成された操作部５０によって前記雄部材Ａの前記脚部２０が弾性変形されて移動されることを特徴とする請求項１に記載のバックル。  
【請求項３】
前記カバー部材Ｃは、筒状に形成され、筒方向両端部分に前記雌部材Ｂの外周面に密着される密着部６１，６２が形成され、中間部分に前記操作部５０を押圧する押圧部６３が形成され、前記押圧部６３の内面と前記操作部５０との間に前記隙間６５が形成されていることを特徴とする請求項１または請求項２に記載のバックル。
【請求項４】
前記押圧部６３は、前記操作部５０と隙間６５を隔てて対向する部分の外表面が、前記一方の密着部から他方の密着部へ向かうに従って外側へ凸状に膨らんだ形状に形成されていることを特徴とする請求項３に記載のバックル。
【請求項５】
前記雌部材Ｂの外周面には、前記カバー部材Ｃが収納される凹部５５が形成されていることを特徴とする請求項２〜請求項４のいずれかに記載のバックル。
【発明の詳細な説明】
【技術分野】
【０００１】
本発明は、雄部材と雌部材とを備えたバックルに関する。詳しくは、１本の紐状部材の両端、あるいは、２本の紐状部材同士を連結、分離するために用いられるバックルに関する。
【背景技術】
【０００２】
雌部材に、雄部材の操作部を露出させる開口部を形成した構造のバックルでは、開口部周縁と操作部との間に、ベルトやテープ、その他の生地などの端部、あるいは、他の異物などが挟み込まれる場合があるため、これを防止したバックル（特許文献１参照）が提案されている。
【０００３】
これは、雄体と、この雄体が差込係合される雌体とを備える。雄体は、基部と、この基部から突出形成された差込部と、この差込部に形成された係止部と、この係止部が形成された差込部を弾性変形させる操作部とを有する。雌体は、雄体の係止部と係合し雄体を雌体内に保持する被係止部と、雄体の操作部を外表面に露出させる開口部とを有する。
雄体が雌体に係合されると、雄体の操作部が雌体の開口部から外表面に露出した状態となるため、外表面に露出した操作部を覆う弾性を有する被覆部が雌体の外周に設けられている。
【０００４】
【特許文献１】特開平８−２９９０３０号公報
【発明の開示】
【発明が解決しようとする課題】
【０００５】
特許文献１に開示されたバックルの場合、雄体が雌体に係合された状態において、外表面に露出した操作部の全体が、被覆部で弾性的に覆われる構造のため、操作部には被覆部の弾性力が常時加わっている。つまり、係止部が被係止部から外れる方向へ操作部を押圧する力が加わっているため、被覆部に僅かな力が掛かっただけでも、係止部が被係止部から外れやすい。
【０００６】
本発明の目的は、このような課題を解決し、開口部周縁と操作部との間に異物が挟み込まれる不具合を回避しつつ、雄部材と雌部材との係合が簡単に解除されない構造のバックルを提供することにある。
【課題を解決するための手段】
【０００７】
本発明のバックルは、雄部材と、この雄部材が差込係合される雌部材とを備え、前記雄部材は、基部と、この基部から突出形成された脚部と、この脚部に設けられ前記雌部材に係合可能な係合部とを有し、前記雌部材は、前記雄部材の前記脚部が差し込まれる差込口と、この差込口から差し込まれた前記脚部の前記係合部が係合する被係合部とを有し、前記雄部材および前記雌部材の少なくとも一方には、前記係合部および前記被係合部の少なくとも一方が形成された部分を弾性変形させて移動させる操作部が形成され、前記雄部材が前記雌部材に係合された状態において、外表面に露出する前記操作部を覆う弾性を有するカバー部材が設けられているバックルにおいて、前記カバー部材の内面と前記操作部との間には、前記操作部の操作方向に隙間が形成されていることを特徴とする。
【０００８】
この構造によれば、雄部材が雌部材に係合された状態では、外表面に露出する操作部がカバー部材で覆われ、雌部材の外表面には開口部などが現れていないから、開口部周縁と操作部との間に、異物が挟み込まれる不具合を回避できる。
この状態においては、カバー部材の内面と操作部との間に操作部の操作方向に隙間が形成されているから、操作部を押圧する力、つまり、雄部材の係合部と雌部材の被係合部とが外れる方向へ操作部を押圧する力が加わっていないから、雄部材と雌部材との係合が簡単に解除されない構造にできる。
雄部材と雌部材との係合を解除するには、カバー部材を介して操作部を押圧操作する。このとき、カバー部材は弾性を有する材料で形成されているから、押圧操作を容易に行うことができる。
【０００９】
本発明のバックルにおいて、前記操作部が前記雌部材に形成され、この雌部材に形成された操作部によって前記雄部材の前記脚部が弾性変形されて移動されることが好ましい。
操作部が雄部材に形成されるバックルの場合、カバー部材を押圧操作すると、カバー部材の内面が操作部に接触し、密着した状態となりやすいため、雄部材を雌部材から引き抜きづらい。とくに、カバー部材がゴムなどの素材によって形成されていると、摩擦抵抗が大きいため、カバー部材の内面が操作部に密着した状態となるため、雄部材を雌部材から一層引き抜きづらい。
本発明によれば、操作部が雌部材に形成され、この雌部材に形成された操作部によって雄部材の脚部が弾性変形されて移動される構成のため、カバー部材を押圧操作してカバー部材の内面が操作部に接触、密着したとしても、雄部材にはカバー部材が密着していないから、雄部材を雌部材から容易に引き抜くことができる。また、操作部が雌部材に形成された構造の場合、操作部が外側へ拡がる虞があるが、本発明のように、操作部がカバー部材で覆われるから、操作部が外側へ拡がる虞も回避できる。
【００１０】
本発明のバックルにおいて、前記カバー部材は、筒状に形成され、筒方向両端部分に前記雌部材の外周面に密着される密着部が形成され、中間部分に前記操作部を押圧する押圧部が形成され、前記押圧部の内面と前記操作部との間に前記隙間が形成されていることが好ましい。
この構成によれば、カバー部材は筒状に形成され、この筒方向の両端部分に雌部材の外周面に密着される密着部が形成されているから、カバー部材が雌部材に対してずれにくい。つまり、カバー部材が雌部材に対して、雄部材の差込・反差込方向および外周方向へずれにくいため、中間部分の押圧部が操作部に常に対向した状態を維持させることができる。従って、使用時などにおいて、カバー部材が雌部材に対してずれて、押圧部が操作部からずれてしまうことが防止できるので、使用にあたっても、雄部材と雌部材との係合が簡単に解除されない構造にできる。
【００１１】
本発明のバックルにおいて、前記押圧部は、前記操作部と隙間を隔てて対向する部分の外表面が、前記一方の密着部から他方の密着部へ向かうに従って外側へ凸状に膨らんだ形状に形成されていることが好ましい。
この構成によれば、押圧部の操作部と対向する部分の外表面が、外側へ凸状に膨らんでいるから、カバー部材の外から、操作部の部分を認識させることができるとともに、押圧部を押圧操作しやすい。つまり、押圧部が平坦、あるいは、凹んでいると、そこから更に内側へ凹むように押圧操作しなければならないため、操作しづらいが、本発明のように、外側へ凸状に膨らんでいるから、操作しやすい。
【００１２】
本発明のバックルにおいて、前記雌部材の外周面には、前記カバー部材が収納される凹部が形成されていることが好ましい。
この構成によれば、雌部材の外周面には、カバー部材が収納される凹部が形成されているから、カバー部材が凹部内に収納されると、カバー部材は凹部内に保持されて雌部材に対してずれにくい。従って、使用時などにおいて、雄部材と雌部材との係合が更に簡単に解除されない構造にできる。
【発明を実施するための最良の形態】
【００１３】
以下、本発明の一実施形態を図面を参照して説明する。
＜第１実施形態＞
図１は、第１実施形態のバックル１を示す分解斜視図、図２は、カバー部材Ｃを装着した雌部材Ｂと雄部材Ａとを示す斜視図、図３は、カバー部材Ｃを装着した雌部材Ｂを示す断面図、図４は、雄部材Ａを雌部材Ｂに係合した状態を示す断面図である。
【００１４】
（全体構成）
これらの図に示すように、本実施形態のバックル１は、紐状部材の端部を連結、分離するためのもので、合成樹脂によって一体成形された雄部材Ａと、同様に合成樹脂によって一体成形され、雄部材Ａが内部に差込係合される雌部材Ｂと、弾性を有する材料によって一体成形され、雌部材Ｂの外周面に装着されるカバー部材Ｃとを備えている。
なお、雄部材Ａおよび雌部材Ｂの材料については、合成樹脂に限らず、金属などの他の材料でもよい。また、カバー部材Ｃの材料としては、シリコンゴムやエラストマーなどが好適に利用できるが、弾性を有する材料であれば、これに限られない。
【００１５】
（雄部材Ａ）
雄部材Ａは、基部１０と、この基部１０の幅方向（雄部材Ａの差込方向に直交する方向）両側から長さ方向（雄部材Ａの差込方向）へ互いに平行に突出形成された一対のガイド片１５と、このガイド片１５よりも内側位置から長さ方向（雄部材Ａの差込方向）へ互いに平行に突出形成され、かつ、互いに接近または離間する方向（内側および外側方向）へ弾性変形可能な一対の脚部２０とを備える。
【００１６】
基部１０は、内部中央に紐状部材の端部が挿入係止される紐取付部としての紐取付孔１１を有する横長矩形状の枠フレーム１２によって構成されている。
紐取付孔１１の中間であって枠フレーム１２の幅方向に連結杆１３が架設され、この連結杆１３によって紐取付孔１１が、脚部２０が設けられた差込方向前端側とそれとは反対側の差込方向後端側の２つの紐取付孔１１Ａ，１１Ｂに分割されている。これにより、紐状部材を紐取付孔１１Ａ，１１Ｂに挿通させて連結杆１３の周囲に旋回させることにより、紐状部材の長さ調節が可能な構造となっている。
ガイド片１５は、互いに平行に突出され、脚部２０の長さに対して約１／２程度の長さに形成されている。
【００１７】
脚部２０は、基部１０の中間から雄部材Ａの差込方向に向かって直線状に延長され互いに接近または離間する方向へ弾性変形可能な弾性片部２１と、この弾性片部２１の先端に形成されたガイド部２３および係合部２５とを有する。
弾性片部２１の中央部分には、表裏面に貫通する溝２２がガイド部２３まで連続して形成されている。これにより、弾性片部２１は、溝２２を挟んだ両側の平行壁２１Ａ，２１Ｂによって構成され、内外方向へ容易に弾性変形が可能になっている。
ガイド部２３は、先端が円弧状に形成されているとともに、外側面が先端から反差込方向へ向かうに従って外側へ傾斜する傾斜面２４に形成されている。
係合部２５は、ガイド部２３の外側面から内側へ向かって略直角に成形された係合面によって構成されている。
【００１８】
（雌部材Ｂ）
雌部材Ｂは、表裏面を構成する表壁４０Ａおよび裏壁４０Ｂと、これらを連結する一対の側壁４０Ｃを有する扁平筒形状の雌部材本体４０を備える。
雌部材本体４０の一端には、雄部材Ａの一対の脚部２０が差し込まれる差込口４１が形成されているとともに、雌部材本体４０の他端には、紐状部材の端部が挿入係止される紐取付部としての紐取付孔４３および連結杆４４が形成されている。
【００１９】
雌部材本体４０の内部中央には、表壁４０Ａおよび裏壁４０Ｂを連結する仕切壁４５が差込口４１から雌部材本体４０の奥部に向かって一体成形されているとともに、この仕切壁４５を挟んだ両側に当接壁４６が設けられている。当接壁４６には、差込口側に雄部材Ａのガイド部２３に当接し脚部２０を互いに接近する方向へ弾性変形させる当接案内面４７が形成されているとともに、反差込口側に雄部材Ａの係合部２５が係合する被係合部４８が形成されている。
【００２０】
側壁４０Ｃの差込方向の両端部を除く中間部分に開口部４９が形成され、この開口部４９から雄部材Ａの係合部２５が形成された部分、つまり、脚部２０を内側へ弾性変形させて移動させる操作部５０が露出されている。
操作部５０は、雌部材本体４０の差込口４１側の側壁４０Ｃから一体的に形成され、開口部４９から外表面に露出する操作片５１と、この操作片５１の先端から内側へ向かって略直角に一体成形された押圧片５２とを有する。操作片５１は、側壁４０Ｃと連結する部分が弾性変形できるように最も肉薄に形成され、押圧片５２へ向かうに従って次第に肉厚になるように形成されている。押圧片５２の先端は、雄部材Ａのガイド部２３の外側面（傾斜面２４）に対向され、操作片５１が内側へ押圧された際、雄部材Ａのガイド部２３の外側面（傾斜面２４）に当接して脚部２０を内側へ弾性変形させる。これにより、雄部材Ａの係合部２５が雌部材Ｂの被係合部４８から解除される。
【００２１】
雌部材本体４０の外周面には、カバー部材Ｃが収納される凹部５５が形成されている。凹部５５は、雌部材本体４０の開口部４９および操作部５０を覆える領域、つまり、雌部材本体４０を形成する表壁４０Ａ、裏壁４０Ｂおよび側壁４０Ｃが、差込口４１近傍およびベルト取付部（紐取付孔４３や連結杆４４の部分）を除く領域において、他の部分よりも内部に窪んだ段差として形成されている。換言すると、雌部材本体４０の差込口４１の口縁に沿って、表壁４０Ａ、裏壁４０Ｂおよび側壁４０Ｃの外表面が外方へ向けて突出する突縁が形成され、また、雌部材本体４０の基部（つまり、ベルト取付部）も同様に外方へ向けて突出され、これらの間に凹部５５が形成されている。さらに、側壁４０Ｃ部分において、開口部４９の部分は凹部５５よりも更に内部に窪んで形成されている。
【００２２】
（カバー部材Ｃ）
カバー部材Ｃは、雄部材Ａが雌部材Ｂに係合された状態において、外表面に露出する操作部５０を覆うもので、雌部材Ｂの凹部５５に嵌合する角筒形状、つまり、表皮６０Ａ
、裏皮６０Ｂおよびこれらを連結する側皮６０Ｃを有する角筒形状に形成されている。角筒形状の筒方向両端部分に雌部材Ｂの外周面に密着される密着部６１，６２が形成され、中間部分に操作部５０を押圧する押圧部６３が形成されている。
密着部６１，６２の開口端側の厚みは、雌部材Ｂの凹部５５の深さに略等しい厚みに形成されている。これにより、カバー部材Ｃが凹部５５に装着されると、雌部材Ｂの外表面とカバー部材Ｃの外表面とが段差なく連続する面に形成される。密着部６１，６２のうち、差込口側の密着部６１については、開口端から押圧部６３に向かって略一様の厚みで形成されたのち、側皮６０Ｃの内面側が次第に厚みが厚くなった隆起部６４を有する断面形状に形成されている。この隆起部６４が操作部５０の根元部分の凹部に嵌り込むことによって、カバー部材Ｃが差込方向に対してずれにくい構造になっている。
押圧部６３は、側皮６０Ｃの外表面が密着部６１から密着部６２へ向かうに従って外側へ凸状に膨らんだ形状で、厚みが略一様に形成されている。これにより、押圧部６３の内面と操作部５０との間に操作部５０の操作方向に隙間６５が形成されている。また、押圧部６３の側皮６０Ｃの外側面には、滑り止め用の３本の突条６６が所定間隔で形成されている。
【００２３】
（作用・効果）
カバー部材Ｃを拡げながら、雌部材Ｂの外側に被せながら挿入し、雌部材Ｂの凹部５５に装着する。すると、雌部材Ｂの外表面に露出する操作部５０がカバー部材Ｃで覆われ、雌部材Ｂの外表面には開口などが現れていないから、開口部４９周縁と操作部５０との間に、異物が挟み込まれる不具合を回避できる。
とくに、雌部材Ｂに操作部５０を設けたタイプの場合、操作部５０が外側へ拡がる虞があるが、本実施形態のように、操作部５０がカバー部材Ｃで覆われるから、操作部５０が外側へ拡がる虞がなく、従って、これを防ぐ機構も省略できる。よって、構造が簡素になるから、安価に製造できる。
【００２４】
雄部材Ａの一対の脚部２０を雌部材Ｂの差込口４１から差し込むと、各脚部２０の先端部に設けられたガイド部２３が当接壁４６の当接案内面４７に当接し、一対の脚部２０の先端部が互いに接近する方向へ弾性変形されていく。やがて、係合部２５が当接壁４６を越えて被係合部４８に達すると、図４に示すように、一対の脚部２０の弾性復帰力によって、各係合部２５は、互いに離間する方向へ変位され、雌部材Ｂの被係合部４８に係合される。
【００２５】
この状態においては、カバー部材Ｃの内面と操作部５０との間に操作部５０の操作方向に隙間６５が形成されているから、操作部５０を押圧する力、つまり、雄部材Ａの係合部２５が雌部材Ｂの被係合部４８から外れる方向へ操作部５０を押圧する力が加わっていないから、雄部材Ａと雌部材Ｂとの係合が簡単に解除されない構造にできる。
【００２６】
雄部材Ａと雌部材Ｂとの係合を解除するには、カバー部材Ｃの押圧部６３を押圧して操作部５０を内側へ押圧操作する。このとき、カバー部材Ｃは弾性を有する材料で形成されているから、押圧操作を容易に行うことができる。しかも、押圧部６３の外表面には滑り止め用の突条６６が形成されているから、確実に押圧操作できる。
カバー部材Ｃの押圧操作によって、図５に示すように、カバー部材Ｃの押圧部６３が弾性変形し、押圧部６３の内面が操作部５０に接すると、操作部５０も内側へ押圧される。操作部５０が内側へ押圧されると、押圧片５２の先端が雄部材Ａのガイド部２３の外側面に当接して脚部２０を内側へ弾性変形させる。これにより、雄部材Ａの係合部２５が雌部材Ｂの被係合部４８から解除される。従って、この状態において、雄部材Ａを雌部材Ｂから引き抜くと、雄部材Ａを雌部材Ｂから外すことができる。
【００２７】
ところで、操作部が雄部材に形成されるバックルの場合、カバー部材を押圧操作すると、カバー部材の内面が操作部に接触し、密着した状態となりやすいため、雄部材を雌部材から引き抜きづらい。
本実施形態のバックル１では、操作部５０が雌部材Ｂに形成され、この雌部材Ｂに形成された操作部５０によって雄部材Ａの脚部２０が内側へ弾性変形され、係合部２５が被係合部４８から解除される構成のため、カバー部材Ｃを押圧操作してカバー部材Ｃの内面が操作部５０に接触、密着したとしても、雄部材Ａにはカバー部材Ｃが密着していないから、雄部材Ａを雌部材Ｂから容易に引き抜くことができる。
【００２８】
このようなカバー部材Ｃを備えたバックル１によれば、カバー部材Ｃが筒状に形成され、この筒方向の両端部分に雌部材Ｂの外周面に密着される密着部６１，６２が形成されているから、カバー部材Ｃが雌部材Ｂに対してずれにくい。つまり、カバー部材Ｃが雌部材Ｂに対して、雄部材Ａの差込・反差込方向および外周方向に対してもずれにくいため、中間部分の押圧部６３が操作部５０に常に対向した状態を維持させることができる。従って、使用時などにおいて、カバー部材Ｃが雌部材Ｂに対してずれて、押圧部６３が操作部５０からずれてしまうことが防止できるので、使用にあたっても、雄部材Ａと雌部材Ｂとの係合が簡単に解除されない構造にできる。
【００２９】
また、カバー部材Ｃの押圧部６３において、操作部５０と対向する部分の外表面が、外側へ凸状に膨らんでいるから、カバー部材Ｃの外から、操作部５０の部分を認識させることができる。しかも、押圧部６３が外側へ凸状に膨らんでいるから、押圧部６３を押圧操作しやすい。例えば、押圧部が平坦、あるいは、凹んでいると、そこから更に内側へ凹むように押圧操作しなければならないため、操作しづらいが、本実施形態のように、外側へ凸状に膨らんでいるから、操作しやすい。
【００３０】
また、カバー部材Ｃは、雌部材Ｂの差込口近傍およびベルト取付部を除く領域を覆っているから、カバー部材Ｃにデザイン的な工夫を付加することによって、バックル１の意匠性を高めることができる。
しかも、カバー部材Ｃはシリコンゴムなどによって形成されているから、滑りにくさと操作性の向上だけでなく、着色性にも優れた効果が期待できることから、着色によるデザインの自由度も高めることができる。
【００３１】
また、雌部材Ｂの外周面には、カバー部材Ｃが収納される凹部５５が形成されているから、カバー部材Ｃが凹部５５内に収納されると、カバー部材Ｃは凹部５５内に保持されて雌部材Ｂに対してずれにくい。従って、使用時などにおいて、雄部材Ａと雌部材Ｂとの係合が更に簡単に解除されない構造にできる。
【００３２】
＜第２実施形態＞
図６は、本発明の第２実施形態のバックル２を示す分解斜視図、図７は、同上実施形態において雄部材が雌部材に係合した状態を示す断面図である。なお、これらの説明にあたって、第１実施形態と同一構成要素については、同一符号を付し、その説明を省略もしくは簡略化する。
第１実施形態のバックル１では、係合部２５が形成された脚部２０を弾性変形させて移動させる操作部５０が、雌部材Ｂの両側の側壁４０Ｃに設けられた構造、いわゆる、サイドリリースバックルの構造であったが、第２実施形態のバックル２は、操作部が雌部材Ｂの表壁４０Ａに設けられた構造、いわゆる、フロントリリースバックルの構造である。
【００３３】
雄部材Ａには、一対の脚部２０が設けられているとともに、これらの中間に解除操作片７１が脚部２０と同方向へ向かって突設されている。各脚部２０の裏面側先端位置に係合部２５が形成されている。
雌部材Ｂには、裏面側に雄部材Ａの係合部２５が係合する被係合部４８を有する被係合片７２が内側へ傾斜状に切り起こし形成されているとともに、雄部材Ａの解除操作片７１を押圧して被係合片７２を外側へ弾性変形させる操作部５０が内部へ向かって弾性変形可能に切り起こし形成されている。
カバー部材Ｃは、雌部材Ｂの外周に装着される筒状で、筒方向両端部分に雌部材Ｂの外周面に密着される密着部６１，６２が形成され、中間部分に操作部５０を押圧する四角形状の押圧部６３が形成されている。押圧部６３の内面と操作部５０との間に隙間６５が形成されている。
【００３４】
第２実施形態においても、カバー部材Ｃが雌部材Ｂの操作部５０を覆っているから、異物が挟み込まれる不具合を回避できるとともに、カバー部材Ｃと操作部５０との間に隙間６５が設けられているから、雄部材Ａと雌部材Ｂとの係合が簡単に解除されない構造にできる。
【００３５】
＜第３実施形態＞
図８は、本発明の第３実施形態のバックル３を示す断面図である。なお、この説明にあたって、第１実施形態と同一構成要素については、同一符号を付し、その説明を省略もしくは簡略化する。
第１実施形態および第２実施形態のバックル１，２は、係合部２５が形成された脚部２０を弾性変形させて移動させる操作部５０が、雌部材Ｂに設けられた構造であったが、第３実施形態のバックル３は、操作部５０が雄部材Ａに設けられた構造である。
【００３６】
雄部材Ａには、一対の脚部２０が設けられている。各脚部２０の外側面中間位置に係合部２５が形成されているとともに、それより先端側に操作部５０が設けられている。つまり、係合部２５が形成された脚部２０を弾性変形させて移動させる操作部５０が、雄部材Ａに設けられている。
雌部材Ｂには、側壁４０Ｃの中間部分に操作部５０が露出する開口部４９が形成されているとともに、開口部４９の差込口側端に被係合部４８が形成されている。
カバー部材Ｃは、雌部材Ｂの外周に装着される筒状で、筒方向両端部分に雌部材Ｂの外周面に密着される密着部６１，６２が形成され、中間部分に操作部５０を押圧する押圧部６３が形成されている。押圧部６３の内面と操作部５０との間に隙間６５が形成されている。
【００３７】
第３実施形態においても、カバー部材Ｃが雌部材Ｂの開口部４９やそこから露出する操作部５０を覆っているから、異物が挟み込まれる不具合を回避できる。また、カバー部材Ｃと操作部５０との間に隙間６５が設けられているから、雄部材Ａと雌部材Ｂとの係合が簡単に解除されない構造にできる。
【００３８】
＜変形例の説明＞
なお、本発明は、上記実施形態で説明した構造のバックルに限定されるものでなく、次のような変形例も含む。
上記第１、第２実施形態では、雌部材Ｂに操作部５０が、第３実施形態では雄部材Ａに操作部５０が設けられていたが、操作部５０は、雄部材Ａおよび雌部材Ｂの少なくとも一方に設けられていればよい。
また、これらの操作部５０によって弾性変形される部分は、係合部２５が形成された部分（つまり、雄部材Ａの部分）および被係合部４８が形成された部分（つまり雌部材Ｂの部分）の少なくとも一方であればよい。
【００３９】
また、雄部材Ａを雌部材Ｂに差し込んだ際、脚部２０を弾性変形させて、係合部２５を雌部材Ｂの被係合部４８に係合させる構成としては、上記各実施形態で挙げた構造に限らず、他の構成であってもよい。
例えば、雌部材Ｂの内部にガイド溝を次第に狭くなるように形成し、このガイド溝によって雄部材Ａの脚部２０を案内しながら、次第に内側へ弾性変形させ、所定位置において外側へ弾性復帰するように構成してもよい。
【００４０】
上記実施形態では、雄部材Ａおよび雌部材Ｂにそれぞれ紐取付部としての紐取付孔１１，４１を形成したが、雌部材Ｂについては、紐取付孔４３がなくてもよい。つまり、雌部材Ｂの雌部材本体４０を直接他の部材に固定するようにしてもよい。
また、雌部材Ｂの紐取付孔４３の幅方向に連結杆を架設し、紐状部材の長さ調整を可能としてもよい。
また、紐状部材としては、帯状のベルトに限らず、幅がない細い紐であってもよい。
【００４１】
以上、本発明に関して、好適な実施形態および各種の変形例を挙げたが、これらを適宜組み合わせて構成してもよいことは言うまでもない。
【産業上の利用可能性】
【００４２】
本発明は、例えば、バッグやリュックなどの連結、離脱用のバックルとして好適であるが、その他どのような用途にも使用可能である。
【図面の簡単な説明】
【００４３】
【図１】本発明の第１実施形態のバックルを示す分解斜視図。
【図２】前記実施形態において、カバー部材を装着した雌部材と雄部材の斜視図。
【図３】前記実施形態において、カバー部材を装着した雌部材の断面図。
【図４】前記実施形態において、雄部材が雌部材に係合した状態の断面図。
【図５】図４において、カバー部材を押圧した状態を示す断面図。
【図６】本発明の第２実施形態のバックルを示す分解斜視図。
【図７】前記実施形態において、雄部材が雌部材に係合した状態の断面図。
【図８】本発明の第３実施形態のバックルを示す断面図。
【符号の説明】
【００４４】
１，２，３…バックル、１０…基部、２０…脚部、２５…係合部、４１…差込口、４８…被係合部、５０…操作部、５５…凹部、６１，６２…密着部、６３…押圧部、６５…隙間、Ａ…雄部材、Ｂ…雌部材、Ｃ…カバー部材。
【図１】
2009039286.tif 000003
【図２】
2009039286.tif 000004
【図３】
2009039286.tif 000005
【図４】
2009039286.tif 000006
【図５】
2009039286.tif 000007
【図６】
2009039286.tif 000008
【図７】
2009039286.tif 000009
【図８】
2009039286.tif 000010